(57)【要約】      （修正有）【課題】ウェアラブルデバイスとモバイルバッテリーとの電気接続に適したＵＳＢ電源ケーブルを提供する。【解決手段】ＵＳＢ電源ケーブルＡは、モバイルバッテリ１のＵＳＢ  ＴｙｐｅＡコネクタ１１へ嵌め込み可能なＵＳＢ  ＴｙｐｅＡ端子２と、ウェアラブルデバイスのＤＣプラグ３１を差し込み可能なＤＣジャック４と、二本の被覆電線を保護被覆で包囲したフレキシブルワイヤー５とからなる。ＵＳＢ  ＴｙｐｅＡ端子２をモバイルバッテリ１のＵＳＢ  ＴｙｐｅＡコネクタ１１に嵌め込み、ウェアラブルデバイスのＤＣプラグ３１をＤＣジャック４に嵌め込めは、ウェアラブルデバイスとモバイルバッテリ１とがＵＳＢ電源ケーブルＡにより電気接続されるので、ウェアラブルデバイスへモバイルバッテリ１の電力を送ることができる。【選択図】図１
0003200340.tif 000002
【実用新案登録請求の範囲】
【請求項１】
モバイルバッテリのＵＳＢ  ＴｙｐｅＡコネクタに嵌め込み可能なＵＳＢ  ＴｙｐｅＡ端子と、
ウェアラブルデバイスへ通電を行う給電線を電気接続したＤＣプラグを嵌め込み可能なＤＣジャックと、
二本の被覆電線を保護被覆で包囲したフレキシブルワイヤーとからなり、
該フレキシブルワイヤーの一本目の被覆電線は、前記ＤＣジャックの中心電極に一端が電気接続され、前記ＵＳＢ  ＴｙｐｅＡ端子の一方極側電極に他端が電気接続され、
前記フレキシブルワイヤーの二本目の被覆電線は、前記ＤＣジャックの外側電極に一端が電気接続され、前記ＵＳＢ  ＴｙｐｅＡ端子の他方極側電極に他端が電気接続されていることを特徴とするＵＳＢ電源ケーブル。
【考案の詳細な説明】
【技術分野】
【０００１】
本考案は、ＵＳＢ電源ケーブルに関する。
【背景技術】
【０００２】
特許文献１に示す様に、携帯電話の外部接続端子とパソコンのＵＳＢ端子とをケーブルで電気接続するバッテリ充電装置が知られている。
【０００３】
身体や衣服などに装着するウェアラブルデバイスが近年、使われているが、デバイスの種類によっては、電力消費が大きく、外部作動用電源が必要な場合がある。なお、ＡＣアダプタを考慮して、ウェアラブルデバイスの受電端はジャック形状の場合が多い。
このウェアラブルデバイスは、外部作動用電源と電源ケーブルで接続される。
【０００４】
近年、モバイル端末の内蔵バッテリの充電用に、大容量の安価なモバイルバッテリーが市販されている。
モバイル端末の電源端子（ＭｉｃｒｏＢメス）と、モバイルバッテリーの出力端子（ＵＳＢ  ＴｙｐｅＡメス）とは、下記のＵＳＢ電源ケーブルで電気接続することができる。  ＵＳＢ電源ケーブル……ケーブルの各端に、ＭｉｃｒｏＢオスと、ＵＳＢ  ＴｙｐｅＡオスとを取り付けている。
【先行技術文献】
【特許文献】
【０００５】
【特許文献１】実用新案登録第３０６９７０５号
【考案の概要】
【考案が解決しようとする課題】
【０００６】
本考案の目的は、ウェアラブルデバイスとモバイルバッテリーとの電気接続に適したＵＳＢ電源ケーブルの提供にある。
【課題を解決するための手段】
【０００７】
（請求項１について）
ＵＳＢ電源ケーブルは、モバイルバッテリのＵＳＢ  ＴｙｐｅＡコネクタに嵌め込み可能なＵＳＢ  ＴｙｐｅＡ端子と、ウェアラブルデバイスへ通電を行う給電線を電気接続したＤＣプラグを嵌め込み可能なＤＣジャックと、二本の被覆電線を保護被覆で包囲したフレキシブルワイヤーとからなる。
【０００８】
フレキシブルワイヤーの一本目の被覆電線は、ＤＣジャックの中心電極に一端が電気接続され、ＵＳＢ  ＴｙｐｅＡ端子の一方極側電極に他端が電気接続されている。
フレキシブルワイヤーの二本目の被覆電線は、ＤＣジャックの外側電極に一端が電気接続され、ＵＳＢ  ＴｙｐｅＡ端子の他方極側電極に他端が電気接続されている。
【０００９】
ＵＳＢ  ＴｙｐｅＡ端子をモバイルバッテリのＵＳＢ  ＴｙｐｅＡコネクタに嵌め込み、ウェアラブルデバイスのＤＣプラグをＤＣジャックに嵌め込めは、ウェアラブルデバイスとモバイルバッテリとがＵＳＢ電源ケーブルにより電気接続される。これにより、ウェアラブルデバイスへモバイルバッテリの電力を送ることができる。
【００１０】
ウェアラブルデバイスへ通電を行う給電線を電気接続したＤＣプラグをＤＣジャックへ嵌め込む構造であるので、ウェアラブルデバイス側の構成変更が不要である。
ウェアラブルデバイスは、ＵＳＢ電源ケーブルによりモバイルバッテリの電力を使うことができるので、長時間、稼動させることができる。
【図面の簡単な説明】
【００１１】
【図１】本考案の実施例１に係るＵＳＢ電源ケーブルの説明図である。
【図２】そのＵＳＢ電源ケーブルの構造を示す説明図である。
【図３】そのＵＳＢ電源ケーブルの結線図である。
【図４】ウェアラブルデバイス側の説明図である。
【実施例１】
【００１２】
本考案の実施例１（請求項１に対応）を図１〜図４に基づいて説明する。
図に示すＵＳＢ電源ケーブルＡは、モバイルバッテリ１のＵＳＢ  ＴｙｐｅＡコネクタ１１へ嵌め込み可能なＵＳＢ  ＴｙｐｅＡ端子２と、ウェアラブルデバイス３のＤＣプラグ３１を差し込み可能なＤＣジャック４と、二本の被覆電線５１、５２を保護被覆で包囲したフレキシブルワイヤー５とからなる。
【００１３】
モバイルバッテリ１は、携帯電話用を充電するためのリチウムイオン電池であり、本実施例では、８１００ｍＡＨ／３．７Ｖの仕様である。
このモバイルバッテリ１の側面には、ＵＳＢ  ＴｙｐｅＡコネクタ１１が二個、埋設されており、ここから電源出力を取り出すことができる。
【００１４】
ＵＳＢ  ＴｙｐｅＡコネクタ１１は、ユニバーサル・シリアル・バスのメス端子であり、絶縁板の右端の右端電極（１番電極）および左端の左端電極（４番電極）に、それぞれ、リチウムイオン電池の＋電極および−電極が電気接続されている。
【００１５】
ＵＳＢ  ＴｙｐｅＡ端子２は、ユニバーサル・シリアル・バスのオス端子であり、絶縁基部２１と差込口２２とからなる。
差込口２２は、断面長方形（約１２ｍｍ×５ｍｍ）であり、その内壁には絶縁体２３が配設され、絶縁体表面には、四本の電極が形成されている。
【００１６】
ウェアラブルデバイス３は、作動用電力を必要とする服に組み込まれた電気装置であり、例えば、放熱用の送風機、静止・動画撮影用のカメラ、暖房用の電熱ヒーター、または、医療用の計測機器などである。
【００１７】
ＤＣプラグ３１は、絶縁基部３２と差込部３３（長さ９ｍｍ）とからなる。差込部３３は、円筒状の外側電極（外径３. ８ｍｍ）３４と、円筒状の内側電極３５（内径１．４ｍｍ）とを同軸状に形成している。このＤＣプラグ３１は、絶縁基部３２で結線される被覆線３６により、ウェアラブルデバイス３に電気接続されている。
【００１８】
ＤＣジャック４は、外周に雄ネジを形成した雄ネジ部４１と、雄ネジ部４１が螺合する雌ネジを内周に形成したキャップ部４２とからなる。
雄ネジ部４１内には、円筒状の外側電極（内径３. ８ｍｍ）４３と、円柱状の中心電極（外径１．４ｍｍ）４４とが同軸状に形成されている。
【００１９】
フレキシブルワイヤー５の一本目の被覆電線５１は、ＤＣジャック４の中心電極４４に導体の一端がハンダ付けされ、ＵＳＢ  ＴｙｐｅＡ端子２の右端電極２４（一方極側電極）に導体の他端が電気接続されている。
被覆電線５１、５２は、導体を被覆で包囲したリード線であり、更に保護被覆で保護されている。
【００２０】
フレキシブルワイヤー５の二本目の被覆電線５２は、ＤＣジャック４の外側電極４３に導体の一端がハンダ付けされ、ＵＳＢ  ＴｙｐｅＡ端子２の左端電極２５（他方極側電極）に導体の他端が電気接続されている。
【００２１】
本実施例のＵＳＢ電源ケーブルＡは、下記の様に使用する。
ウェアラブルデバイス３を組み込んだジャケットを着た使用者は、ＤＣプラグ３１の差込部３３をＤＣジャック４の穴へ差し込む。
【００２２】
そして、ＵＳＢ  ＴｙｐｅＡ端子２の差込口２２をモバイルバッテリ１のＵＳＢ  ＴｙｐｅＡコネクタ１１へ差し込む。
【００２３】
これにより、ＵＳＢ電源ケーブルＡを介して、モバイルバッテリ１の電力がウェアラブルデバイス３へ供給される。
【００２４】
本実施例のＵＳＢ電源ケーブルＡは、下記の利点を有する。
ＵＳＢ  ＴｙｐｅＡ端子２の差込口２２をモバイルバッテリ１のＵＳＢ  ＴｙｐｅＡコネクタ１１に嵌め込み、ウェアラブルデバイス３のＤＣプラグ３１の差込部３３をＤＣジャック４の穴に嵌め込む。これにより、ウェアラブルデバイス３とモバイルバッテリ１とがＵＳＢ電源ケーブルＡにより電気接続される。
よって、ＵＳＢ電源ケーブルＡは、ウェアラブルデバイス３へモバイルバッテリ１の電力を送ることができる。
【００２５】
ウェアラブルデバイス３へ通電を行う給電線を電気接続したＤＣプラグ３１をＤＣジャック４へ嵌め込む構造であるので、ウェアラブルデバイス３側の構成変更が不要である。  ウェアラブルデバイス３は、ＵＳＢ電源ケーブルＡによりモバイルバッテリ１の電力を使うことができるので、長時間、稼動させることができる。
【符号の説明】
【００２６】
Ａ  ＵＳＢ電源ケーブル。
１  モバイルバッテリ
２  ＵＳＢ  ＴｙｐｅＡ端子
３  ウェアラブルデバイス
４  ＤＣジャック
５  フレキシブルワイヤー
１１  ＵＳＢ  ＴｙｐｅＡコネクタ
２４  右端電極（一方極側電極）
２５  左端電極（他方極側電極）
３１  ＤＣプラグ
３６  給電線（被覆線）
４３  外側電極
４４  中心電極
５１、５２  被覆電線
【図１】
0003200340.tif 000003
【図２】
0003200340.tif 000004
【図３】
0003200340.tif 000005
【図４】
0003200340.tif 000006